(57)【要約】 【課題】組立て作業を容易且つ確実に行い得ると共に構造的安定性に優れる作業台を提供する。【解決手段】天板５を支持する天板支持台２は、一対の側部脚枠体６，６を具え、側部脚枠体６は、前後の脚柱１１，１２が前後連結杆１４で連結されている。前にある左右の脚柱１１，１１の上部１５，１５が前の左右連結杆７で連結され、後にある左右の脚柱１２，１２の上部１５，１５が後の左右連結杆９で連結されている。前後の左右連結杆７，９は、その両端部分に、脚柱１１，１２の上部１５を嵌入させる脚柱嵌入凹部６７を有する。引寄せ連結杆１０が、左右の側部脚枠体６，６を引寄せることにより、脚柱１１，１２の上部１５が、脚柱嵌入凹部６７を構成する外当接片４３と内当接片４７に当接した係合状態となる。これにより、左右の側部脚枠体６，６の前後の脚柱１１，１２の立設状態が保持され、該保持は１本の連結ボルト７２で安定化される。【選択図】図２
2011172829.tif 000002
【特許請求の範囲】
【請求項１】
天板支持台の上に天板が取り付けられてなる作業台であって、該天板支持台は、左右対向して立設される一対の側部脚枠体を具え、該側部脚枠体は、前後の脚柱相互が前後連結杆で連結されており、又、該左右の側部脚枠体の内の前に位置する左右の脚柱相互が前の左右連結杆で連結されると共に、後に位置する左右の脚柱相互が後の左右連結杆で連結されており、又、左右の側部脚枠体が引寄せ連結杆で連結されるようになされており、
前記前の左右連結杆の両端部分には、前記前の脚柱の上端を覆う上端被覆片と該前の脚柱の上部の前面に当接し得る前当接片と、該上部の左右方向で見た外面に当接し得る外当接片と、該上部の左右方向で見た内面に当接でき且つ前記外当接片の下端よりも下方に位置する内当接片とを具えており、前記上端被覆片と前記前当接片と前記外当接片と前記内当接片とにより、前記前の脚柱の上部を嵌入させる脚柱嵌入凹部が形成されており、
又、前記後の左右連結杆の両端部分には、前記後の脚柱の上端を覆う上端被覆片と、該後の脚柱の上部の後面に当接し得る後当接片と、該上部の左右方向で見た外面に当接し得る外当接片と、該上部の左右方向で見た内面に当接でき且つ前記外当接片の下端よりも下側に存する内当接片とを具えており、前記上端被覆片と前記後当接片と前記外当接片と前記内当接片とにより、前記後の脚柱の上部を嵌入させる脚柱嵌入凹部が形成されており、
又、前記引寄せ連結杆は、前記左右の側部脚枠体の夫々の前後の脚柱の上部が前記前後の脚柱嵌入凹部に嵌入された状態で、前記左右の側部脚枠体を互いに向き合う方向に引き寄せるように、その両端部分が前記左右の側部脚枠体に連結されることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされ、
該保持状態で、前記前当接片と前記前の脚柱の前記上部とが１本の連結ボルトで連結されると共に、前記後当接片と前記後の脚柱の前記上部とが１本の連結ボルトで連結されることを特徴とする作業台。
【請求項２】
天板支持台の上に天板が取り付けられてなる作業台であって、該天板支持台は、左右対向して立設される一対の側部脚枠体を具え、該側部脚枠体は、前後の脚柱相互が前後連結杆で連結されており、又、該左右の側部脚枠体の内の前に位置する左右の脚柱相互が前の左右連結杆で連結されると共に、後に位置する左右の脚柱相互が後の左右連結杆で連結されており、又、左右の側部脚枠体相互が引寄せ連結杆で連結されるようになされており、
前記前の左右連結杆の両端部分には、前記前の脚柱の上端を覆う上端被覆片と、該前の脚柱の上部の前面に当接でき、且つ該上端被覆片の前縁で下方に向けて直角に屈曲形成された前当接片と、該上部の左右方向で見た外面に当接でき且つ前記上端被覆片の先端で下方に向けて直角に屈曲形成された外当接片と、該上部の左右方向で見た内面に当接できると共に前記外当接片の下端よりも下方に位置する内当接片とを具えており、前記上端被覆片と前記前当接片と前記外当接片と前記内当接片とにより、前記前の支柱の上部を嵌入させる脚柱嵌入凹部が形成されており、
又、前記後の左右連結杆の両端部分には、前記後の脚柱の上端を覆う上端被覆片と、該後の脚柱の上部の後面に当接でき且つ該上端被覆片の後縁で下方に向けて直角に屈曲形成された後当接片と、該上部の左右方向で見た外面に当接でき且つ前記上端被覆片の先端で下方に向けて直角に屈曲形成された後当接片と、該上部の左右方向で見た外面に当接でき且つ前記上端被覆片の先端で下方に向けて直角に屈曲形成された外当接片と、該上部の左右方向で見た内面に当接できると共に前記外当接片の下端よりも下方に位置する内当接片とを具えており、前記上端被覆片と前記後当接片と前記外当接片と前記内当接片とにより、前記後の支柱の上部を嵌入させる脚柱嵌入凹部が形成されており、
又、前記引寄せ連結杆は、前記左右の側部脚枠体の夫々の前後の脚柱の上部が前記前後の脚部嵌入凹部に嵌入された状態で、前記左右の側部脚枠体を互いに向き合う方向に引き寄せるように、その両端部分が前記左右の側部脚枠体に連結されることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされ、
該保持状態で、前記前当接片と前記前の脚柱の前記上部とが１本の連結ボルトで連結されると共に、前記後当接片と前記後の脚柱の前記上部とが１本の連結ボルトで連結されることを特徴とする作業台。
【請求項３】
天板支持台の上に天板が取り付けられてなる作業台であって、該天板支持台は、左右対向して立設される一対の側部脚枠体を具え、該側部脚枠体は、前後の脚柱の向き合う上部相互が上の前後連結杆で連結され、該前後の脚柱の向き合う下部相互が下の前後連結杆で連結されており、又、該左右の側部脚枠体の内の前に位置する左右の脚柱の上部相互が前の左右連結杆で連結されると共に、後に位置する左右の脚柱の上部相互が後の左右連結杆で連結されており、又、左右の側部脚枠体が引寄せ連結杆で連結されるようになされており、
前記前の左右連結杆の両端部分には、前記前の脚柱の上端を覆う上端被覆片と該前の脚柱の上部の前面に当接し得る前当接片と、該上部の左右方向で見た外面に当接し得る外当接片と、該上部の左右方向で見た内面に当接でき且つ前記外当接片の下端よりも下方に位置する内当接片とを具えており、前記上端被覆片と前記前当接片と前記外当接片と前記内当接片とにより、前記前の脚柱の上部を嵌入させる脚柱嵌入凹部が形成されており、
又、前記後の左右連結杆の両端部分には、前記後の脚柱の上端を覆う上端被覆片と、該後の脚柱の上部の後面に当接し得る後当接片と、該上部の左右方向で見た外面に当接し得る外当接片と、該上部の左右方向で見た内面に当接でき且つ前記外当接片の下端よりも下側に存する内当接片とを具えており、前記上端被覆片と前記後当接片と前記外当接片と前記内当接片とにより、前記後の脚柱の上部を嵌入させる脚柱嵌入凹部が形成されており、
又、前記引寄せ連結杆は、前記左右の側部脚枠体の夫々の前後の脚柱の上部が前記前後の脚柱嵌入凹部に嵌入された状態で、前記左右の側部脚枠体を互いに向き合う方向に引き寄せるように、その両端部分が前記左右の側部脚枠体に連結されることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされ、
該保持状態で、前記前当接片と前記前の脚柱の前記上部とが１本の連結ボルトで連結されると共に、前記後当接片と前記後の脚柱の前記上部とが１本の連結ボルトで連結されることを特徴とする作業台。
【請求項４】
天板支持台の上に天板が取り付けられてなる作業台であって、該天板支持台は、左右対向して立設される一対の側部脚枠体を具え、該側部脚枠体は、前後の脚柱の向き合う上部相互が上の前後連結杆で連結されており、該前後の脚柱の向き合う下部相互が下の前後連結杆で連結されており、又、該左右の側部脚枠体の内の前に位置する左右の脚柱の上部相互が前の左右連結杆で連結されると共に、後に位置する左右の脚柱の上部相互が後の左右連結杆で連結されており、又、左右の側部脚枠体相互が引寄せ連結杆で連結されるようになされており、
前記前の左右連結杆の両端部分には、前記前の脚柱の上端を覆う上端被覆片と、該前の脚柱の上部の前面に当接でき、且つ該上端被覆片の前縁で下方に向けて直角に屈曲形成された前当接片と、該上部の左右方向で見た外面に当接でき且つ前記上端被覆片の先端で下方に向けて直角に屈曲形成された外当接片と、該上部の左右方向で見た内面に当接できると共に前記外当接片の下端よりも下方に位置する内当接片とを具えており、前記上端被覆片と前記前当接片と前記外当接片と前記内当接片とにより、前記前の支柱の上部を嵌入させる脚柱嵌入凹部が形成されており、
又、前記後の左右連結杆の両端部分には、前記後の脚柱の上端を覆う上端被覆片と、該後の脚柱の上部の後面に当接でき且つ該上端被覆片の後縁で下方に向けて直角に屈曲形成された後当接片と、該上部の左右方向で見た外面に当接でき且つ前記上端被覆片の先端で下方に向けて直角に屈曲形成された後当接片と、該上部の左右方向で見た外面に当接でき且つ前記上端被覆片の先端で下方に向けて直角に屈曲形成された外当接片と、該上部の左右方向で見た内面に当接できると共に前記外当接片の下端よりも下方に位置する内当接片とを具えており、前記上端被覆片と前記後当接片と前記外当接片と前記内当接片とにより、前記後の支柱の上部を嵌入させる脚柱嵌入凹部が形成されており、
又、前記引寄せ連結杆は、前記左右の側部脚枠体の夫々の前後の脚柱の上部が前記前後の脚部嵌入凹部に嵌入された状態で、前記左右の側部脚枠体を互いに向き合う方向に引き寄せるように、その両端部分が前記左右の側部脚枠体に連結されることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされ、
該保持状態で、前記前当接片と前記前の脚柱の前記上部とが１本の連結ボルトで連結されると共に、前記後当接片と前記後の脚柱の前記上部とが１本の連結ボルトで連結されることを特徴とする作業台。
【請求項５】
前記引寄せ連結杆は、連結杆本体の両端部分に、前記左右の側部脚枠体の前記下の前後連結杆の前後方向で見た中間部位を嵌め入れる収容凹部を有するコ字状枠部を具えており、該左右のコ字状枠部に該中間部位を収容することにより、該下の前後連結杆が向き合う方向に弾性的に撓み変形しつつ前記左右の側部脚枠体が互いに向き合う方向に引き寄せられ、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされることを特徴とする請求項３又は４記載の作業台。
【請求項６】
前記コ字状枠部は、前記中間部位の上面に載置される上面部の、左右方向で見た内外の縁で、内外の側片が屈曲形成されることを特徴とする請求項５記載の作業台。
【請求項７】
前記左右の側部脚枠体の左右の前の脚柱相互及び／又は左右の後の脚柱相互が、該左右の側部脚枠体が互いに向き合う方向に引き寄せられるように前記引寄せ連結杆で連結されるものとなされており、該引寄せ連結杆で引き寄せられることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされることを特徴とする請求項１〜４の何れかに記載の作業台。
【請求項８】
請求項１記載の作業台を組立てる作業台の組立て方法であって、前記天板を裏返しにして作業面に設置した後、該天板の裏面の前後の縁部分に前記前後の左右連結杆を固定し、その固定は、前記前当接片と前記後当接片とが前後方向の外側に位置するように前後の左右連結杆を対向状態として前記上端被覆片を前記裏面に固定して行い、前後対向する前記脚柱嵌入凹部の夫々に、前記側部脚枠体の前後の脚柱の前記上部を、前記前後方向の外側から嵌入し、前記連結ボルトを用いて、前記前当接片と前記上部とを、又、前記後当接片と前記上部とを仮締めして後、前記引寄せ連結杆の両端部分を前記左右の側部脚枠体に連結して該左右の側部脚枠体を互いに向き合う方向に引寄せて、前記前の左右連結杆の前記上部の前面に前記前当接片が当接すると共に、該上部の外面に前記外当接片が当接し、且つ、該上部の内面に前記内当接片が当接した状態とし、且つ、前記後の左右連結杆の前記上部の後面に後当接片が当接すると共に、該上部の外面に前記外当接片が当接し、且つ、該上部の内面に前記内当接片が当接した状態とし、その後、前記連結ボルトを締め付けることを特徴とする作業台の組立て方法。
【請求項９】
請求項３記載の作業台を組立てる作業台の組立て方法であって、前記天板を裏返しにして作業面に設置した後、該天板の裏面の前後の縁部分に前記前後の左右連結杆を固定し、その固定は、前記前当接片と前記後当接片とが前後方向の外側に位置するように前後の左右連結杆を対向状態として前記上端被覆片を前記裏面に固定して行い、前後対向する前記脚柱嵌入凹部の夫々に、前記側部脚枠体の前後の脚柱の前記上部を、前記前後方向の外側から嵌入し、前記連結ボルトを用いて、前記前当接片と前記上部とを、又、前記後当接片と前記上部とを仮締めして後、前記引寄せ連結杆の両端部分に設けられている前記コ字状枠部の前記収容凹部に、前記下の前後連結杆の前後方向で見た中間部位を収容することによって、該下の前後連結杆を互いに向き合う方向に引き寄せて、前記前の左右連結杆の前記上部の前面に前記前当接片が当接すると共に、該上部の外面に前記外当接片が当接し、且つ、該上部の内面に前記内当接片が当接した状態とし、且つ、前記後の左右連結杆の前記上部の後面に後当接片が当接すると共に、該上部の外面に前記外当接片が当接し、且つ、該上部の内面に前記内当接片が当接した状態とし、その後、前記連結ボルトを締め付けることを特徴とする作業台の組立て方法。
【発明の詳細な説明】
【技術分野】
【０００１】
本発明は、簡易且つ確実に組立てることができると共に構造的安定性に優れる作業台に関するものである。
【背景技術】
【０００２】
工場等で使用されている組立式の作業台の一例としては、特開２００４−９７３１８号等が開示するものが提案されている。該組立作業台ａは、図２７（Ａ）に示すように、天板ｂを支持する天板支持台ｃを有し、該天板支持台ｃは、左右両側に対向状態で立設される一対の側部脚枠体ｄ，ｄを具えるものであった。該側部脚枠体ｄは、図２７（Ｂ）に示すように、前後の脚柱ｅ，ｆの向き合う上部ｇ，ｇの内面部ｈ，ｈ相互が上の前後連結杆ｊで連結され、該上の前後連結杆ｊの端部ｋと該内面部ｈとは溶接されると共に、該前後の脚柱ｅ，ｆの向き合う下部ｍ，ｍの内面部ｎ，ｎ相互が下の前後連結杆ｐで連結され、該下の前後連結杆ｐの端部ｑと該内面部ｎとは溶接されていた。
【０００３】
そして、該左右の側部脚枠体ｄ，ｄの前後に位置する脚柱ｅ，ｅ、ｆ，ｆの上部ｇ，ｇ、ｇ，ｇ相互が、前後の左右連結杆ｒ，ｒで連結されており、該前後の左右連結杆ｒ，ｓと、対応する前後の脚柱ｅ，ｆの上部ｇ，ｇとは、２本の固定ボルトｔ，ｔを用いて固定されていた。このボルト固定を、前の脚柱ｅ，ｅ相互の連結に代表させて説明すれば、図２８に示すように、前の左右連結杆ｒの夫々の両端部分に、前後の脚柱ｅ，ｆの上部ｇ，ｇの前面ｕに当接し得る固定片ｗを突設し、該固定片ｗの上下にボルト孔ｘ，ｘを設ける一方、該前面ｕの上下にネジ孔ｙ，ｙを設けておき、該固定片ｗを該前面ｕ、該後面ｖに当接して該ボルト孔ｘとネジ孔ｙとを位置合わせした状態で、該前面ｕの該ボルト孔ｘに前記固定ボルトｔを挿通し、該固定ボルトｔをネジ孔ｙに螺合し締め付けることにより、前後の左右連結杆ｒの固定片ｗを脚柱ｅにボルト固定するものであった。
【０００４】
かかる構成を有する作業台は、前記固定片ｗを２本の固定ボルトｔ，ｔを用いて脚柱ｅ，ｆに固定する構成を採用していたため、脚柱ｅ，ｆに対する固定片ｗの取り付けを１本の固定ボルトｔで行うのとは異なり、該脚柱ｅ，ｆがボルトの軸心回りに回転する恐れはなく、前後の左右連結杆ｒ，ｓと前後の脚柱ｅ，ｆとを安定状態で連結できる利点があった。
【０００５】
しかしながら、かかる作業台によるときは、このように締め付けられた固定ボルトの緩みが、直ちに、脚柱ｅ，ｆの取付け部分のガタツキの原因となる問題があった。又、前記ボルト固定のためには、前記左右連結杆ｒ，ｓの両端に設けられている固定片ｗ，ｗの夫々を、対応の脚柱ｅ，ｆの上部ｇの前面ｕ又は後面ｖに当接させ、ボルト孔ｘとネジ孔ｙとを正しく位置合わせし、その状態を保持しつつ、２本の固定ボルトｔ，ｔの夫々を、前記ボルト孔ｘに挿通し前記ネジ孔ｙに螺合し締め付けなければならず、作業台の組立てに手間を要する問題があった。
【先行技術文献】
【特許文献】
【０００６】
【特許文献１】特開２００４−９７３１８号公報
【発明の概要】
【発明が解決しようとする課題】
【０００７】
本発明は、前記従来の問題点に鑑みて開発されたものであり、組立て作業を容易且つ確実に行い得ると共に、構造的安定性に優れる作業台の提供を課題とするものである。
【課題を解決するための手段】
【０００８】
前記課題を解決するため、本発明は以下の手段を採用する。
即ち本発明に係る作業台の第１の態様は、天板支持台の上に天板が取り付けられてなる作業台であって、該天板支持台は、左右対向して立設される一対の側部脚枠体を具え、該側部脚枠体は、前後の脚柱相互が前後連結杆で連結されており、又、該左右の側部脚枠体の内の前に位置する左右の脚柱相互が前の左右連結杆で連結されると共に、後に位置する左右の脚柱相互が後の左右連結杆で連結されており、又、左右の側部脚枠体が引寄せ連結杆で連結されるようになされており、前記前の左右連結杆の両端部分には、前記前の脚柱の上端を覆う上端被覆片と該前の脚柱の上部の前面に当接し得る前当接片と、該上部の左右方向で見た外面に当接し得る外当接片と、該上部の左右方向で見た内面に当接でき且つ前記外当接片の下端よりも下方に位置する内当接片とを具えており、前記上端被覆片と前記前当接片と前記外当接片と前記内当接片とにより、前記前の脚柱の上部を嵌入させる脚柱嵌入凹部が形成されている。又、前記後の左右連結杆の両端部分には、前記後の脚柱の上端を覆う上端被覆片と、該後の脚柱の上部の後面に当接し得る後当接片と、該上部の左右方向で見た外面に当接し得る外当接片と、該上部の左右方向で見た内面に当接でき且つ前記外当接片の下端よりも下側に存する内当接片とを具えており、前記上端被覆片と前記後当接片と前記外当接片と前記内当接片とにより、前記後の脚柱の上部を嵌入させる脚柱嵌入凹部が形成されている。又、前記引寄せ連結杆は、前記左右の側部脚枠体の夫々の前後の脚柱の上部が前記前後の脚柱嵌入凹部に嵌入された状態で、前記左右の側部脚枠体を互いに向き合う方向に引き寄せるように、その両端部分が前記左右の側部脚枠体に連結されることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされ、該保持状態で、前記前当接片と前記前の脚柱の前記上部とが１本の連結ボルトで連結されると共に、前記後当接片と前記後の脚柱の前記上部とが１本の連結ボルトで連結されることを特徴とするものである。
【０００９】
本発明に係る作業台の第２の態様は、天板支持台の上に天板が取り付けられてなる作業台であって、該天板支持台は、左右対向して立設される一対の側部脚枠体を具え、該側部脚枠体は、前後の脚柱相互が前後連結杆で連結されており、又、該左右の側部脚枠体の内の前に位置する左右の脚柱相互が前の左右連結杆で連結されると共に、後に位置する左右の脚柱相互が後の左右連結杆で連結されており、又、左右の側部脚枠体相互が引寄せ連結杆で連結されるようになされており、前記前の左右連結杆の両端部分には、前記前の脚柱の上端を覆う上端被覆片と、該前の脚柱の上部の前面に当接でき、且つ該上端被覆片の前縁で下方に向けて直角に屈曲形成された前当接片と、該上部の左右方向で見た外面に当接でき且つ前記上端被覆片の先端で下方に向けて直角に屈曲形成された外当接片と、該上部の左右方向で見た内面に当接できると共に前記外当接片の下端よりも下方に位置する内当接片とを具えており、前記上端被覆片と前記前当接片と前記外当接片と前記内当接片とにより、前記前の支柱の上部を嵌入させる脚柱嵌入凹部が形成されている。又、前記後の左右連結杆の両端部分には、前記後の脚柱の上端を覆う上端被覆片と、該後の脚柱の上部の後面に当接でき且つ該上端被覆片の後縁で下方に向けて直角に屈曲形成された後当接片と、該上部の左右方向で見た外面に当接でき且つ前記上端被覆片の先端で下方に向けて直角に屈曲形成された後当接片と、該上部の左右方向で見た外面に当接でき且つ前記上端被覆片の先端で下方に向けて直角に屈曲形成された外当接片と、該上部の左右方向で見た内面に当接できると共に前記外当接片の下端よりも下方に位置する内当接片とを具えており、前記上端被覆片と前記後当接片と前記外当接片と前記内当接片とにより、前記後の支柱の上部を嵌入させる脚柱嵌入凹部が形成されている。又、前記引寄せ連結杆は、前記左右の側部脚枠体の夫々の前後の脚柱の上部が前記前後の脚部嵌入凹部に嵌入された状態で、前記左右の側部脚枠体を互いに向き合う方向に引き寄せるように、その両端部分が前記左右の側部脚枠体に連結されることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされ、該保持状態で、前記前当接片と前記前の脚柱の前記上部とが１本の連結ボルトで連結されると共に、前記後当接片と前記後の脚柱の前記上部とが１本の連結ボルトで連結されることを特徴とするものである。
【００１０】
本発明に係る作業台の第３の態様は、天板支持台の上に天板が取り付けられてなる作業台であって、該天板支持台は、左右対向して立設される一対の側部脚枠体を具え、該側部脚枠体は、前後の脚柱の向き合う上部相互が上の前後連結杆で連結され、該前後脚柱の向き合う下部相互が下の前後連結杆で連結されており、又、該左右の側部脚枠体の内の前に位置する左右の脚柱の上部相互が前の左右連結杆で連結されると共に、後に位置する左右の脚柱の上部相互が後の左右連結杆で連結されており、又、左右の側部脚枠体が引寄せ連結杆で連結されるようになされており、前記前の左右連結杆の両端部分には、前記前の脚柱の上端を覆う上端被覆片と該前の脚柱の上部の前面に当接し得る前当接片と、該上部の左右方向で見た外面に当接し得る外当接片と、該上部の左右方向で見た内面に当接でき且つ前記外当接片の下端よりも下方に位置する内当接片とを具えており、前記上端被覆片と前記前当接片と前記外当接片と前記内当接片とにより、前記前の脚柱の上部を嵌入させる脚柱嵌入凹部が形成されている。又、前記後の左右連結杆の両端部分には、前記後の脚柱の上端を覆う上端被覆片と、該後の脚柱の上部の後面に当接し得る後当接片と、該上部の左右方向で見た外面に当接し得る外当接片と、該上部の左右方向で見た内面に当接でき且つ前記外当接片の下端よりも下側に存する内当接片とを具えており、前記上端被覆片と前記後当接片と前記外当接片と前記内当接片とにより、前記後の脚柱の上部を嵌入させる脚柱嵌入凹部が形成されている。又、前記引寄せ連結杆は、前記左右の側部脚枠体の夫々の前後の脚柱の上部が前記前後の脚柱嵌入凹部に嵌入された状態で、前記左右の側部脚枠体を互いに向き合う方向に引き寄せるように、その両端部分が前記左右の側部脚枠体に連結されることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされ、該保持状態で、前記前当接片と前記前の脚柱の前記上部とが１本の連結ボルトで連結されると共に、前記後当接片と前記後の脚柱の前記上部とが１本の連結ボルトで連結されることを特徴とするものである。
【００１１】
本発明に係る作業台の第４の態様は、天板支持台の上に天板が取り付けられてなる作業台であって、該天板支持台は、左右対向して立設される一対の側部脚枠体を具え、該側部脚枠体は、前後の脚柱の向き合う上部相互が上の前後連結杆で連結されており、該前後の脚柱の向き合う下部相互が下の前後連結杆で連結されており、又、該左右の側部脚枠体の内の前に位置する左右の脚柱の上部相互が前の左右連結杆で連結されると共に、後に位置する左右の脚柱の上部相互が後の左右連結杆で連結されており、又、左右の側部脚枠体相互が引寄せ連結杆で連結されるようになされており、前記前の左右連結杆の両端部分には、前記前の脚柱の上端を覆う上端被覆片と、該前の脚柱の上部の前面に当接でき、且つ該上端被覆片の前縁で下方に向けて直角に屈曲形成された前当接片と、該上部の左右方向で見た外面に当接でき且つ前記上端被覆片の先端で下方に向けて直角に屈曲形成された外当接片と、該上部の左右方向で見た内面に当接できると共に前記外当接片の下端よりも下方に位置する内当接片とを具えており、前記上端被覆片と前記前当接片と前記外当接片と前記内当接片とにより、前記前の支柱の上部を嵌入させる脚柱嵌入凹部が形成されている。又、前記後の左右連結杆の両端部分には、前記後の脚柱の上端を覆う上端被覆片と、該後の脚柱の上部の後面に当接でき且つ該上端被覆片の後縁で下方に向けて直角に屈曲形成された後当接片と、該上部の左右方向で見た外面に当接でき且つ前記上端被覆片の先端で下方に向けて直角に屈曲形成された後当接片と、該上部の左右方向で見た外面に当接でき且つ前記上端被覆片の先端で下方に向けて直角に屈曲形成された外当接片と、該上部の左右方向で見た内面に当接できると共に前記外当接片の下端よりも下方に位置する内当接片とを具えており、前記上端被覆片と前記後当接片と前記外当接片と前記内当接片とにより、前記後の支柱の上部を嵌入させる脚柱嵌入凹部が形成されている。又、前記引寄せ連結杆は、前記左右の側部脚枠体の夫々の前後の脚柱の上部が前記前後の脚部嵌入凹部に嵌入された状態で、前記左右の側部脚枠体を互いに向き合う方向に引き寄せるように、その両端部分が前記左右の側部脚枠体に連結されることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるようになされ、該保持状態で、前記前当接片と前記前の脚柱の前記上部とが１本の連結ボルトで連結されると共に、前記後当接片と前記後の脚柱の前記上部とが１本の連結ボルトで連結されることを特徴とするものである。
【００１２】
前記第３又は第４の作業台において、前記引寄せ連結杆は、連結杆本体の両端部分に、前記左右の側部脚枠体の前記下の前後連結杆の前後方向で見た中間部位を嵌め入れる収容凹部を有するコ字状枠部を具えたものとし、該左右のコ字状枠部に該中間部位を収容することにより、該下の前後連結杆が向き合う方向に弾性的に撓み変形しつつ前記左右の側部脚枠体が互いに向き合う方向に引き寄せられ、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるように構成するのがよい。
【００１３】
この場合、前記コ字状枠部は、前記中間部位の上面に載置される上面部の、左右方向で見た内外の縁で、内外の側片が屈曲形成されたものとして構成するのがよい。
【００１４】
前記第１〜第４の何れかの作業台において、前記左右の側部脚枠体の左右の前の脚柱相互及び／又は左右の後の脚柱相互が、該左右の側部脚枠体が互いに向き合う方向に引き寄せられるように前記引寄せ連結杆で連結されるものとし、該引寄せ連結杆で引き寄せられることにより、前記前の左右連結杆の前記前当接片が前記前面に当接すると共に前記外当接片が前記外面に当接し且つ前記内当接片が前記内面に当接し、又、前記後の左右連結杆の前記後当接片が前記後面に当接すると共に前記外当接片が前記外面に当接し且つ前記内当接片が前記内面に当接して、左右の側部脚枠体の前記前後の脚柱が立設状態で保持されるように構成することもできる。
【００１５】
本発明に係る作業台の組立て方法は、前記第１の態様の作業台を組立てる作業台の組立て方法であって、前記天板を裏返しにして作業面に設置した後、該天板の裏面の前後の縁部分に前記前後の左右連結杆を固定し、その固定は、前記前当接片と前記後当接片とが前後方向の外側に位置するように前後の左右連結杆を対向状態として前記上端被覆片を前記裏面に固定して行い、前後対向する前記脚柱嵌入凹部の夫々に、前記側部脚枠体の前後の脚柱の前記上部を、前記前後方向の外側から嵌入し、前記連結ボルトを用いて、前記前当接片と前記上部とを、又、前記後当接片と前記上部とを仮締めして後、前記引寄せ連結杆の両端部分を前記左右の側部脚枠体に連結して該左右の側部脚枠体を互いに向き合う方向に引寄せて、前記前の左右連結杆の前記上部の前面に前記前当接片が当接すると共に、該上部の外面に前記外当接片が当接し、且つ、該上部の内面に前記内当接片が当接した状態とし、且つ、前記後の左右連結杆の前記上部の後面に後当接片が当接すると共に、該上部の外面に前記外当接片が当接し、且つ、該上部の内面に前記内当接片が当接した状態とし、その後、前記連結ボルトを締め付けることを特徴とするものである。
【００１６】
本発明に係る作業台の組立て方法の他の態様は、前記第３の態様の作業台を組立てる作業台の組立て方法であって、前記天板を裏返しにして作業面に設置した後、該天板の裏面の前後の縁部分に前記前後の左右連結杆を固定し、その固定は、前記前当接片と前記後当接片とが前後方向の外側に位置するように前後の左右連結杆を対向状態として前記上端被覆片を前記裏面に固定して行い、前後対向する前記脚柱嵌入凹部の夫々に、前記側部脚枠体の前後の脚柱の前記上部を、前記前後方向の外側から嵌入し、前記連結ボルトを用いて、前記前当接片と前記上部とを、又、前記後当接片と前記上部とを仮締めして後、前記引寄せ連結杆の両端部分に設けられている前記コ字状枠部の前記収容凹部に、前記下の前後連結杆の前後方向で見た中間部位を収容することによって、該下の前後連結杆を互いに向き合う方向に引き寄せて、前記前の左右連結杆の前記上部の前面に前記前当接片が当接すると共に、該上部の外面に前記外当接片が当接し、且つ、該上部の内面に前記内当接片が当接した状態とし、且つ、前記後の左右連結杆の前記上部の後面に後当接片が当接すると共に、該上部の外面に前記外当接片が当接し、且つ、該上部の内面に前記内当接片が当接した状態とし、その後、前記連結ボルトを締め付けることを特徴とするものである。
【発明の効果】
【００１７】
本発明に係る作業台は前記構成を有するため、構造的に安定した作業台を、作業性よく簡易に組み立てることができる。
これをより具体的に説明すれば、
【００１８】
(1) 本発明に係る作業台は、左右両側に対向状態で立設される一対の側部脚枠体と、該側部脚枠体相互を連結でき且つ両端部分に脚柱嵌入凹部を有する前後の左右連結杆と、該左右側部脚枠体相互を互いに向き合う方向に引寄せる引寄せ連結杆と、該側部脚枠体を構成する脚柱の上部と左右連結杆とを連結する１本の連結ボルトとを具えるため、左右の側部脚枠体を構成する夫々の脚柱の上部を脚柱嵌入凹部に嵌入して後、前記引寄せ連結杆で左右の側部脚枠体を向き合う方向に引寄せるだけで、該脚柱嵌入凹部に構成されている外当接片と内当接片の該上部に対する係合作用によって、各脚柱を、自ずから、安定的な立設状態で保持できることとなる。そしてこの立設状態を、１本の連結ボルトで保持できる。
かかることから本発明によるときは、構造的に安定した作業台を簡易に構成できることになる。                                                                          
【００１９】
(2) 本発明に係る作業台によるときは、前記引寄せ連結杆で左右の側部脚枠体を向き合う方向に引寄せるだけで、脚柱嵌入凹部に構成されている外当接片と内当接片の該上部に対する係合作用によって、各脚柱を、自ずから、安定的な立設状態で保持できる。加えて、従来の作業台にあっては、前後連結杆に対して脚柱を取り付けるに際して、各脚柱毎に２本の固定ボルトを必要とし、合計８本の固定ボルトの締め付け作業を必要としたのであるが、本発明によるときは各脚柱について１本の連結ボルトを使用するだけであり、ボルトの締め付け箇所が半減するため、作業台の組立て作業能率を向上させ得る。
かかることから本発明によるときは、構造的に安定した作業台を、作業性よく簡易に組み立てることができることになる。
【００２０】
(3) 本発明に係る作業台を構成する引寄せ連結杆が、連結杆本体の両端部分に、前記左右の側部脚柱枠体の前記下の前後連結杆の前後方向で見た中間部位を嵌め入れる収容凹部を有するコ字状枠部を具える場合は、該収容凹部に前記中間部位を嵌め入れさえすれば、自ずから、前記左右の側部脚枠体を向き合う方向に引き寄せることができ、その引き寄せ作業を簡易に行うことができる。そして、前記脚柱嵌入凹部に構成されている外当接片と内当接片の該上部に対する係合作用によって、各脚柱を、安定的な立設状態で保持できることとなる。
【００２１】
(4) 又、本発明に係る作業台の製造方法によるときは、前記脚柱の上部を前記脚柱嵌入部に嵌入させる作業及び、左右の側部脚枠体の引寄せ作業を容易且つ確実に行い得ることとなり、安定構造の作業台を能率的に製造できることになる。
該作業台の製造方法において、前記引寄せ連結杆が、連結杆本体の両端部分に、前記左右の側部脚柱枠体の前記下の前後連結杆の前後方向で見た中間部位を嵌め入れる収容凹部を有するコ字状枠部を具える場合は、該収容凹部に前記中間部位を嵌め入れさえすれば、自ずから、前記左右の側部脚枠体を向き合う方向に引き寄せることができ、その引き寄せ作業を簡易に行うことができる。そして、前記脚柱嵌入凹部に構成されている外当接片と内当接片の前記上部に対する係合作用によって、各脚柱を、安定的な立設状態で保持できることとなる。
【図面の簡単な説明】
【００２２】
【図１】本発明に係る作業台を示す斜視図である。
【図２】その分解斜視図である。
【図３】左右の側部脚枠体を示す斜視図である。
【図４】側部脚枠体を示す正面図である。
【図５】側部脚枠体を示す部分斜視図である。
【図６】側部脚枠体を示す部分斜視図である。
【図７】左右の側部脚枠体が引寄せ連結杆で連結された状態を示す断面図である。
【図８】前の左右連結杆の構成を説明する斜視図である。
【図９】前の左右連結杆の端部分を左右の脚柱の上部に連結した状態を示す斜視図である。
【図１０】後の左右連結杆の構成を説明する斜視図である。
【図１１】引寄せ連結杆を示す斜視図である。
【図１２】引寄せ連結杆の両端側の部分を、該引寄せ連結杆によって連結される左右の側部脚枠体の下の前後連結杆と共に示す斜視図である。
【図１３】裏返しされた天板の裏面の前後の縁部分に前後の左右連結杆をビス固定した状態を示す斜視図である。
【図１４】前後の側部脚枠体の前の脚柱相互及び後の脚柱相互を前後の左右連結杆で連結する作業工程を説明する斜視図である。
【図１５】その側面図である。
【図１６】後の脚柱の上部と後当接片とを連結ボルトで連結する作業工程を示す断面図である。
【図１７】左右の側部脚枠体相互を引寄せ連結杆で連結する作業工程を示す斜視図である。
【図１８】左右の側部脚枠体相互を引寄せ連結杆で連結した状態を示す側面図と、後の脚柱の上部と外当接片、内当接片との係合状態を示す側面図である。
【図１９】組立てられた作業台を逆さまの状態で示す斜視図である。
【図２０】左右の側部脚枠体を向き合う方向に引寄せる引寄せ連結杆の他の態様をその引寄せ状態と共に示す斜視図と断面図である。
【図２１】左右の側部脚枠体を向き合う方向に引寄せる引寄せ連結杆のその他の態様をその引寄せ状態と共に示す斜視図である。
【図２２】左右の側部脚枠体を向き合う方向に引寄せる引寄せ連結杆のその他の態様をその引寄せ状態と共に示す部分断面図である。
【図２３】左右の側部脚枠体を、前記脚柱で、向き合う方向に引寄せる引寄せ連結杆のその他の態様をその引寄せ状態と共に示す斜視図である。
【図２４】左右の側部脚枠体を、前記脚柱で、向き合う方向に引寄せる引寄せ連結杆のその他の態様をその引寄せ状態と共に示す斜視図である。
【図２５】左右の側部脚枠体を、前記脚柱で、向き合う方向に引寄せる引寄せ連結杆のその他の態様をその引寄せ状態と共に示す斜視図である。
【図２６】前当接片の他の態様を示す斜視図である。
【図２７】従来の作業台の一例を示す説明図である。
【図２８】その組立て工程を説明する説明図である。
【発明を実施するための形態】
【実施例１】
【００２３】
図１〜２において本発明に係る作業台１は、平面視で矩形状を呈する天板支持台２の上に、矩形板状を呈する天板５を取り付けてなるものである。該天板５は、本実施例においては、例えば合板を以てなり、平面視で矩形板状を呈すると共に、その上面５ａが一連の平滑面に形成されている。そして該天板支持台２は、金属製のものであり、左右両側に対向状態で立設される一対の側部脚枠体６，６と、該左右の側部脚枠体６，６相互を連結する前後の左右連結杆７，９と、該左右の側部脚枠体６，６を互いに向き合う方向に引き寄せる引寄せ連結杆１０とを具えるものである。本実施例においては、該天板５の平面視の長辺長さは約１８００ｍｍに、その短辺長さは約９００ｍｍに設定されている。又、前記天板支持台２の平面視の長辺長さは約１６５０ｍｍに、その短辺長さは約８１５ｍｍに、その高さは約７２０ｍｍに設定されている。
【００２４】
前記側部脚枠体６，６は同様の構成を有しており、図３〜４に示すように、前後に所要間隔を置いて（例えば７７０ｍｍの間隔を置いて）平行して立設される前後の脚柱１１，１２相互が前後連結杆１４で連結されている。本実施例においては、該前後の脚柱１１，１２の向き合う上部１５，１５の向き合う面部１３，１３相互が上の前後連結杆１６（前後連結杆１４）で連結され、該上の前後連結杆１６の端部１７と該上部１５とは溶接されると共に、該前後の脚柱１１，１２の向き合う下部１８，１８の向き合う面部１９，１９相互が下の前後連結杆２０（前後連結杆１４）で連結され、該下の前後連結杆２０の端部２１と該下部１８とは溶接されて、剛性の高い鳥居形枠体として構成されている。
【００２５】
前記前後の脚柱１１，１２は、夫々、本実施例においては図４〜６に示すように、その横断面が左右方向に比較的長い矩形状を呈する角筒状に形成されている。又、前記上の前後連結杆１６は、垂直片２２の下端で水平片２３が屈曲形成されたアングル状を呈して前後方向に連続しており、該垂直片２２の上端２５が前記前後の脚柱１１，１２の上端２６よりも若干上に突出する状態となされ、該垂直片の上端部分は、上方突出片部２７とされている。又、前記下の前後連結杆２０は、図７に示すように、その横断面が、上下方向に比較的長い矩形状を呈する角筒状に形成されている。又、本実施例においては、図３に示すように、前記前後の脚柱１１，１２の下端にネジ式高さ調整具２９が設けられている。該ネジ式高さ調整具２９は、図７に示すように、円板状の座片３０の上面の中央部で立設されたネジ軸３１が、該脚柱１１，１２の下端に付設された支持片３２に設けられたネジ孔３３に螺合されており、該ネジ軸３１の該ネジ孔３３に対する螺合状態を調整することによって脚柱１１，１２の高さを調整可能となし得る周知の構成を有している。
【００２６】
前記前の左右連結杆７は、図８〜９に示すように、その両端部分３４，３４に、前記前の脚柱１１，１１の夫々の上端２６（図８）を覆う上端被覆片３６と、該前の脚柱１１，１１の夫々の上部１５，１５の前面３７に当接でき且つ該上端被覆片３６の前縁３９で下方に向けて直角に屈曲形成された前当接片４０と、該上部１５の左右方向で見た外面４１（図８）に当接でき且つ前記上端被覆片３６の先端４２で下方に向けて直角に屈曲形成された外当接片４３と、該上部１５の左右方向で見た内面４５に当接できると共に該外当接片４３の下端４６よりも下方に位置する内当接片４７とを具えている。
【００２７】
該前の左右連結杆７は、より詳しくは図８に示すように、垂直立片４９の上端縁５０で、後方に向けて水平に突出する水平突出片５１を屈曲形成してなる、左右方向に連続するアングル状を呈しており、該垂直立片４９の下端縁５２には、後方に突出する水平片部５３とその前端縁５５で上方に突出する垂直片部５６とからなるＬ字状屈曲片５７が設けられている。
【００２８】
そして、該前の左右連結杆７の両端部分３４，３４に関しては、前記Ｌ字状屈曲片５７が、前記脚柱１１の上部１５の左右方向幅Ｌ１に略等しい長さ分が切除され、Ｌ字状の切除端５９が前記内当接片４７とされている。又、前記垂直立片４９の、該切除端５９（内当接片４７）からの突出部分が前記前当接片４０とされている。又、前記水平突出片５１の端部分３４の後側の部分は、前記上の前後連結杆１６の前記垂直片２２の、前記上方突出片部２７を逃がすために欠切されており、該水平突出片５１の端部分３４は、該欠切した分だけ幅狭の幅狭水平片部６１とされている。そして、該幅狭水平片部６１の先端４２で、下方に向けて屈曲する屈曲片６３が設けられ、該屈曲片６３は前記外当接片４３とされている。本実施例においては、該屈曲片６３の前側の側縁６５と前記前当接片４０の端部６６とは溶接し、該外当接片４３を補強するのがよい。これにより、前記上端被覆片３６と前記前当接片４０と前記外当接片４３と前記内当接片４７とにより、前記前の脚柱１１の上部１５を嵌入させる脚柱嵌入凹部６７が形成されている。
【００２９】
そして、前記前当接片４０の左右方向の中間部の稍下側に位置させて、上下に稍長い楕円形状のボルト孔６９が設けられると共に、前記前の脚柱１１の上部１５の前面３７には、該上部１５を前記脚柱嵌入凹部６７に嵌め入れて前記前当接片４０を前記前面３７に、前記外当接片４３を前記外面４１に、前記内当接片４７を前記内面４５に夫々当接させた状態で、該ボルト孔６９に位置合わせしてネジ孔７１が設けられている。該ボルト孔６９は上下に稍長い楕円形状を呈するため、その長さの範囲で製作誤差を吸収でき、図１６に示すように、該ボルト孔６９を挿通した連結ボルト７２を前記ネジ孔７１に確実に螺合させて締め付け得るようになされている。又、前記切除端５９（内当接片４７）の上端７３は前記屈曲片６３（外当接片４３）の下端４６よりも下方に位置している。
【００３０】
本実施例においては、前記垂直立片４９の上下幅が約４９ｍｍに設定されると共に前記屈曲片６３（外当接片４３）の上下幅は約１１ｍｍに設定されており、前記水平片部５１の前後幅は約３３ｍｍに設定されており、該屈曲片６３の下端４６と前記切除端５９（垂直片部５６）の上端７３との間の間隔は約２７ｍｍに設定されている。
【００３１】
前記後の左右連結杆９は、図１０に示すように、前記前の左右連結杆７と前後対称の形態を有しており、その両端部分７７，７７に、前記後の脚柱１２の上端２６を覆う上端被覆片３６と、該後の脚柱１２，１２の夫々の上部１５，１５の後面８０に当接でき且つ該上端被覆片３６の後縁８１で下方に向けて直角に屈曲形成された後当接片８２と、該上部１５の左右方向で見た外面４１に当接でき且つ前記上端被覆片３６の先端４２で下方に向けて直角に屈曲形成された外当接片４３と、該上部１５の左右方向で見た内面４５に当接できると共に前記外当接片４３の下端４６よりも下方に位置する内当接片４７とを具えている。その他、図１０において、前記前の左右連結杆７におけると同様部分には同一の符号が付されている。
【００３２】
又、前記引寄せ連結杆１０は、図１１〜１２、図７に示すように、前記左右の側部脚枠体６，６を互いに向き合う方向に引き寄せるようにその両端部分８３，８３が前記左右の側部脚枠体６に連結されるものである。より具体的には、横断面が前後方向に比較的長い矩形状を呈する角筒状の連結杆本体８５の両端面８６，８６に、前記下の前後連結杆２０の前後方向で見た中間部位（本実施例においては中央部位８７ａ）８７を収容する下端開放の収容凹部８９を有するコ字状枠部９０が設けられている。該コ字状枠部９０は、図７、図１２に示すように、前記下の前後連結杆２０の上面９１に載置される基片９２の、左右方向で見た内外の縁９３，９５で、内外の側片９６，９７を屈曲形成してなり、該内の側片９６の外面の上側部分９９が前記連結杆本体８５の端面８６に溶接されている。
【００３３】
そして両側片９６，９７の先端部分１００，１００には、孔心を合致させてボルト孔１０１，１０１が設けられており、図７、図１２に示すように、該収容凹部８９に前記中間部位８７を収容した状態で両ボルト孔１０１，１０１に抜け止めボルト１０２を挿通し、ボルト先側部分にナット１０５を螺合し締め付けることによって、該中間部位８７が該収容凹部８９から脱落するのを防止している。そして、前記連結杆本体８５の左右方向長さは、該コ字状枠部９０，９０の収容凹部８９，８９に、対応の前記下の前後連結杆２０の前記中央部位８７ａを嵌め入れた状態で、前記下の前後連結杆２０を向き合う方向に弾性的に撓み変形させ、これによって、前記左右の側部脚枠体６，６を互いに向き合う方向に引き寄せ得るように構成されている。
【００３４】
次に、前記左右の側部脚枠体６，６と前後の左右連結杆７，９と前記引寄せ連結杆１０と前記連結ボルト７２を用いて作業台１を組み立てる作業工程の一例を説明する。
【００３５】
先ず図１３に示すように、前記天板５を裏返しにして作業面１０７に載置した後、該天板５の裏面（図１３における上面）１０９の前後の縁部分に沿わせて前記前後の左右連結杆７，９を、前記水平突出片５１を該裏面１０９に当接させる。この際、前記前当接片４０と前記後当接片８２とが前後方向の外側に位置するように、該前後の左右連結杆７，９を平行した対向状態とする。その後、前記水平突出片５１に設けられているビス孔１１０（図８、図１０）を挿通するビス１１１を前記天板５にねじ込むことにより、該前後の左右連結杆７，９を該天板５の裏面１０９に固定する。この固定状態で、前記前後の脚柱嵌入凹部６７，６７が向き合った状態にある。該脚柱嵌入凹部６７，６７は、共に、その上端１１２が全面開放状態にあると共に、左右方向で見た後端１１３は、その上端から前記外当接片４３の上端１１５までの間が、上下に大きく開放した状態にある。
【００３６】
然して、前記前後の側部脚枠体６，６の前の脚柱１１，１１相互を前の左右連結杆７で連結し、後の脚柱１２，１２相互を後の左右連結杆９で連結するに際しては、図１４、図１５（Ａ）に示すように、左右方向で見て外側に居る作業者が前記側部脚枠体６を手で持ち上げ、これを、上側が手前に傾く傾斜状態として、前後の脚柱１１，１２の前記上部１５，１５を、前後の脚柱嵌入凹部６７，６７に嵌入させる。即ち、前後方向の外側から嵌入させる。この嵌入は、前記のように該脚柱嵌入凹部６７の後端１１３（図１５（Ａ））が上下方向で大きく開放された状態にあるために、無理なく行うことができる。図１５（Ｂ）は、該脚柱嵌入凹部６７に嵌入された前後の脚柱１１，１２（図においては後の脚柱１２）を略垂直に立設した状態を示す。この略垂直の立設状態で、図１６（Ａ）に示すように、前記ボルト孔６９を挿通する連結ボルト７２を前記ネジ孔７１に螺合して、該脚柱１１，１２を前当接片４０と後当接片８２（図においては後当接片８２）に仮固定状態とする。この仮固定状態では、側部脚枠体６は、該連結ボルト７２の軸心回りにある程度回動できる状態にある。
【００３７】
その後、図１７に矢印で示すように、前記引寄せ連結杆１０の両端部分に設けられている、上方に開放状態の前記コ字状枠部９０，９０の収容凹部８９，８９に前記下の前後連結杆２０の前記中間部位８７（本実施例においては中央部位８７ａ）を嵌入状態で収容させるように、該引寄せ連結杆１０を持ち上げる。前記連結杆本体８５の所要の長さ設定により、左右に位置する下の前後連結杆２０，２０が向き合う方向に弾性的に撓み変形せしめられ、これによって、図１８（Ａ）に矢印で示すように、前記左右の側部脚枠体６，６が互いに向き合う方向に引き寄せられる。その結果、図１８（Ｂ）（Ｃ）に示すように、上下位置ずれした状態で、前記上部１５の外面４１の下端部分１１６が前記外当接片４３に当接すると共に、該上部１５の内面４５の稍上側部分１１７が前記内当接片４７に当接状態となるので、該外当接片４３と該内当接片４７の該上部１５に対する係合作用によって、脚柱１１，１２は、回転しない状態で、その立設状態が安定的に保持されることとなる。
【００３８】
その後、図１６（Ｂ）に示すように、前記連結ボルト７２を締め付ける。図１９は、このようにして組み立てられた作業台１を逆さまの状態で示す。図１は、作業台１を起こした状態を示すものであり、天板支持台２の上に天板５が取り付けられている。本実施例においては、前後の左右連結杆７，９の水平突出片５１，５１の上面３，３（図２）に、天板５が水平状態で取り付けられている。前記のように、アングル状を呈する前記上の前後連結杆１６の前記垂直片２２の上端部分は、上方突出片部２７（図４（Ａ）、図５〜６）とされているため、前記前後の左右連結杆７，９の夫々の上端被覆片３６が前後の脚柱１１，１２の上端を被覆した状態で、図９に示すように、該上端被覆片３６の上面１１７と前記垂直片２２の上端２５が略同一水平面内に位置するようになされている。これによって、天板支持台２上に天板５を載置した状態で、前記上の前後連結杆１６の上端（前記垂直片２２の上端２５）と天板５の裏面１０９との間に殆ど隙間が生じないようになし得、これにより天板５上における作業の安定性が図られることとなる。
【００３９】
又本実施例においては、前記収容凹部８９に前記中間部位８７を嵌め入れた後、図７に示すように、該コ字状枠部９０を構成する両側片９６，９７に設けられている前記ボルト孔１０１，１０１に抜け止めボルト１０２が挿通され、ナット１０５が螺合されることによって、該抜け止めボルト１０２による浮上がり防止作用により、前記中間部位８７がコ字状枠部９０から脱落するのが確実に防止される。
【００４０】
なお、前記コ字状枠部９０の収容凹部８９への前記中間部位８７の嵌め入れは、該コ字状枠部９０の収容凹部８９を上向きにして該収容凹部８９に中間部位８７を嵌め入れるようにしてもよいのであるが、本実施例においては図１２に示すように、作業台が正立状態において、前記収容凹部８９が下端開放状態を呈することとしているため、該コ字状枠部９０を構成する対向する側片９６，９７は、その先端部分１００，１００が下向き状態となる。従って、該先端部分１００，１００や前記抜け止めボルト１０２等で怪我をしにくい。
【００４１】
このように、かかる構成の作業台１によるときは、左右の側部脚枠体６，６を構成する夫々の前後の脚柱１１，１２の上部１５を前記脚柱嵌入凹部６７に嵌入して後、前記引寄せ連結杆１０で左右の側部脚枠体６，６を向き合う方向に引寄せるだけで、該脚柱嵌入凹部６７に設けられている前記外当接片４３と前記内当接片４７の該上部１５に対する独特の係合作用が発揮され、前後の脚柱１１，１２を、自ずから、安定的な立設状態で保持できることとなる。そしてこの立設状態を、１本の連結ボルト７２で保持できる。
【００４２】
かかる独特な係合作用によって、各脚柱１１，１２を、自ずから、安定的な立設状態で保持できるのであるが、それにも拘わらず１本の連結ボルト７２で連結する構成を採用しているのは次の理由による。即ち、作業台１０６の天板５には通常は下向きの荷重しか加わらないため、前記安定的な立設状態が保持されるので特に問題はないが、前記前後の左右連結杆７，９を浮き上げる力が作用したときは前記上部１５が前記脚柱嵌入凹部６７から外れる場合が生じ、このようになると、作業台１０６が壊れてしまうからである。例えば、作業台１０６の設置場所を変更するために前記天板５の縁部分１１９（図１）を手で持ち上げたとすると、該天板５と一体である前記前後の左右連結杆７，９が浮き上がって前記上部１５が前記脚柱嵌入凹部６７から外れてしまい、その結果、作業台１０６が壊れてしまうこととなる。
【００４３】
ここで、かかる構成の作業台１における前記連結ボルト７２と、前記した従来の作業台における固定ボルトｔの作用の違いについて説明する。従来の作業台にあっては、前記のように、１本の脚柱ｅ，ｆについて用いられる２本の固定ボルトｔ，ｔは、前後の左右連結杆ｒ，ｓに対して脚柱ｅ，ｆを安定した立設状態で固定するために必須のものだったのであり、この固定ボルトｔの緩みは、直ちに、脚柱ｅ，ｆの取付け部分にガタツキを発生させる原因となった。これに対して前記連結ボルト７２は、これが多少緩んだとしても、そのことが原因して直ちに脚柱１１，１２の取付け部分にガタツキを招来することにはならない。なぜなら、脚柱１１，１２の立設状態の安定性は、引寄せ連結杆１０の引寄せによって得られる、前記脚柱１１，１２の上部１５に対する外当接片４３と内当接片４７の前記独特の係合作用によって発揮されているからであり、連結ボルト７２が外れて左右連結杆７，９が脚柱１１，１２と分離しない限り、脚柱１１、１２の立設状態の安定性が保持されるからである。
【００４４】
このように本発明によるときは、安定構造の作業台を、引寄せ連結杆１０の引寄せ作用に伴う簡素な係合構造によって構成できる利点があるのである。
【実施例２】
【００４５】
本発明は、前記実施例で示したものに限定されるものでは決してなく、「特許請求の範囲」の記載内で種々の設計変更が可能であることはいうまでもない。その一例を挙げれば次のようである。
【００４６】
(1) 図２０〜２２は、左右の側部脚枠体６，６を引寄せ連結杆１０で連結する他の態様を示すものである。
【００４７】
図２０〜２１は、引寄せ連結杆１０の両端部分８３，８３を前記下の前後連結杆２０の前後方向で見た中間部位（例えば中央部位８７ａ）８７に連結する他の態様を示すものである。図２０は、前記連結杆本体８５の両端８６，８６に、前記下の前後連結杆２０の下面１２０と内面１２１に当接し得る下面当接片１２２と内面当接片１２３とがＬ字状に屈曲形成されてなるＬ字状連結片１２５の該内面当接片１２３を溶接してなる引寄せ連結杆１０を示す。該下の前後連結杆２０の中間部位８７を左右方向で貫通するボルト孔１２６に挿通されたボルト１２７を、前記内面当接片１２３側に設けたネジ孔１２９に螺合することにより、該Ｌ字状連結片１２５を該中間部位８７に連結可能となされている。そして、このようにして引寄せ連結杆１０の両端のＬ字状連結片１２５，１２５を左右対向する下の前後連結杆２０，２０の中間部位８７，８７に連結することにより、左右の側部脚枠体６，６が向き合う方向に引寄せられ、前記前後の脚柱１１，１２、１１，１２が立設状態で保持されるようになされている。
【００４８】
図２１は、前記Ｌ字状連結片１２５に代えて、前記中間部位８７に当接し得る、前後方向に稍長い内面当接片１３０を、前記と同様構成の連結杆本体８５に溶接してなり、該内面当接片１３０の前後端部分にボルト孔１３１，１３１を設け、該ボルト孔１３１，１３１を挿通するボルト１３２，１３２の夫々を、前記中間部位８７の内面側に設けたネジ孔１３３，１３３に螺合し締め付けることにより、左右の側部脚枠体６，６が向き合う方向に引寄せられ、前記前後の脚柱１１，１２が立設状態で保持されるようになされている。
【００４９】
又図２２は、前記連結杆本体８５の両端部分１３４，１３４に、前記下の前後連結杆２０の中間部位８７を上下貫通するように設けた挿入溝１３６に挿入される挿入片１３７を設けてなり、引寄せ連結杆１０の両端部分に設けられている該挿入片１３７，１３７を、左右対向する下の前後連結杆２０，２０の対向する該挿入溝１３６，１３６に挿入することにより、左右の側部脚枠体６，６が向き合う方向に引寄せられ、前記前後の脚柱１１，１２が立設状態で保持されるようになされる。この場合、例えば図２２に示すように、前記中間部位８７に設けられたネジ孔１３９に螺合するボルト１４０を、前記挿入片１３７に設けられているボルト孔１４１に挿通させるようにして、該挿入片１３７が脱落するのを確実に防止するのがよい。
【００５０】
(2) 図２３〜２５は、引寄せ連結杆１０で側部脚枠体６，６相互を引寄せるその他の態様を示すものであり、図２３は、前記左右の側部脚枠体６，６の、左右の前の脚柱１１，１２の下端側部分１４２，１４２相互を前の引寄せ連結杆１０ａで連結すると共に、前記左右の側部脚枠体６，６の、左右の後の脚柱１２，１２の下端側部分１４３，１４３相互を後の引寄せ連結杆１０ｂで連結する場合を示すものである。
【００５１】
該前後の引寄せ連結杆１０ａ，１０ｂを前後の脚柱１１，１２に連結する構成の一例としては、図２３に示すように、連結杆本体８５の両端面８６，８６に、該脚柱１１，１２を嵌め入れる収容凹部１４５を有するコ字状枠部１４６を設け、該コ字状枠部１４６は、前記脚柱１１，１２の前面１４７又は後面１４９に当接し得る基片１５０の、前後方向で見た内外の縁で、内外の側片１５１，１５２を屈曲形成して構成し、該内の側片１５１の外面を連結杆本体８５の端面８６に溶接してなる。又、両側片１５１，１５２の先端部分には、孔心を合致させてボルト孔１５７，１５７が設けられている。
【００５２】
然して、該コ字状枠部１４６の収容凹部１４５に前記脚柱１１，１２の、例えば下端側の部分１４２，１４３を嵌め入れて、その前面１４７又は後面１４９を前記基片１５０に当接させて後、対向するボルト孔１５７，１５７に抜け止めボルト１５９を挿通し、ボルト先端部分にナット１６１を螺合し締め付けることによって、該脚柱１１，１２が該収容凹部１４５から脱落するのを防止できる。
【００５３】
そして、このようにして前後の引寄せ連結杆１０ａ，１０ｂで、前後の左右の脚柱１１，１１、１２，１２を夫々互いに向き合う方向に引寄せることによって、前記左右の側部脚枠体６，６を互いに向き合う方向に引寄せることができ、これにより、左右の側部脚枠体６，６の前記前後の脚柱１１，１２を立設状態で安定的に保持できることになる。
【００５４】
かかる構成の引寄せ連結杆１０ａ，１０ｂを用いて左右の側部脚枠体６，６を互いに向き合う方向に引寄せる場合、前の脚柱１１，１１の、例えば下端側の部分１４２，１４２相互のみを、前の引寄せ連結杆１０ａで連結する場合がある他、後の脚柱１２，１２の、例えば下端側の部分１４３，１４３相互のみを後の引寄せ連結杆１０ｂで連結する場合もある。
【００５５】
図２４は、前記連結杆本体８５の両端８６，８６に、前後の脚柱１１，１２、例えば後の脚柱１２の後面１６２と内面１６３に当接し得る後面当接片１６５と内面当接片１６６とがＬ字状に屈曲形成されてなるＬ字状連結片１６７の該内面当接片１６６を溶接してなる引寄せ連結杆１０を示す。該後面当接片１６５と該内面当接片１６６を後面１６２と内面１６３に夫々当接させた状態で、該後の脚柱１２の下端側部分１６９を左右方向で貫通するボルト孔１７０に挿通されたボルト１７１を、前記内面当接片１６６側に設けたネジ孔１７２に螺合することにより、該Ｌ字状連結片１６７を該下端側部分１６９に連結可能となされている。そして、このようにして引寄せ連結杆１０の両端のＬ字状連結片１６７，１６７を左右対向する下端側部分１６９に連結することにより、左右の側部脚枠体６，６が向き合う方向に引寄せられ、前記前後の脚柱１１，１２、１１，１２が立設状態で保持されるようになされている。
【００５６】
図２５は、前記Ｌ字状連結片１６７に代えて、前記下端側部分１６９に当接し得る、前後方向に稍長い内面当接片１７３を前記と同様構成の連結杆本体８５に溶接してなり、該内面当接片１７３の上下端部分にボルト孔１７５，１７５を設け、該ボルト孔１７５，１７５を挿通するボルト１７６，１７６の夫々を、前記下端側部分１６９の内面側に設けたネジ孔１７７，１７７に螺合し締め付けることにより、左右の側部脚枠体６，６が向き合う方向に引寄せられ、前記前後の脚柱１１，１２が立設状態で保持されるようになされている。
【００５７】
(3) 前記外当接片４３と、該外当接片４３の下端４６よりも下方に位置する前記内当接片４７は、立設状態にある前後の脚柱１１，１２の上部１５を脚柱嵌入凹部６７に嵌入させ且つ該左右の側部脚枠体６，６を互いに向き合う方向に引寄せることによって前記前後の脚柱１１，１２を立設状態で保持させることができるものである限り、その形態は任意に設定できる。例えば、前記外当接片４３や前記内当接片４７を板状片等として構成し、これを前記上端被覆片３６や前当接片４０等に溶接等で固定することにより構成することもできる。
【００５８】
そして、前記外当接片４３は、図２６（Ａ）に示すように、前記前当接片４０の、前後方向で見た先端１７９で後方に向けて直角に折曲して構成することもでき、又、図２６（Ｂ）に示すように、前記後当接片８２の前後方向で見た先端１８０で前方に向けて直角に折曲して構成することもできる。このようにして屈曲形成した前記外当接片４３の上縁１８１と前記水平突出片５１の端部１８２とを溶接し、該外当接片４３を補強するのがよい。
【００５９】
(4) 前記左右の脚柱１１，１２や前記上下の前後連結杆１６，２０や前記前後の左右連結杆７，９は、所要強度を発揮し得る限り、所要断面を有するものとして構成できる。
【００６０】
(5) 前記前当接片４０と前記前の脚柱１１の前記上部１５とを１本の連結ボルト７２で固定する固定手段や、前記後当接片８２と前記後の脚柱１２の前記上部１５とを１本の連結ボルト７２で固定する固定手段は、前記した態様の他、例えば、連結ボルト７２を該上部１５側から挿通して前記前当接片４０や前記後当接片８２側に螺合させるもの等、１本の連結ボルト７２で固定できる各種手段を含むものである。
【００６１】
(6) 前記引寄せ連結杆１０によって前記左右の側部脚枠体６，６を互いに向き合う方向に引寄せる引寄せ手段は、前記したように、引寄せ連結杆１０の長さを所要に設定することにより引寄せを行うことの他、ターンバックル等の回転調整具を回転操作して引寄せたり、或いは、レバー操作によって引寄せを行うこと等も可能である。そして、前記連結杆本体８５は角筒状を呈するものには特定されない。要は、左右の側部脚枠体６，６を互いに向き合う方向に引寄せることができる各種手段を採用できる。
【００６２】
(7) 本発明に係る作業台１を構成する前記側部脚枠体６，６は、前後の脚柱１１，１２相互を前後連結杆１４で連結するに際し、該前後連結杆１４の端部と前後の脚柱１１，１２とを溶接することの他、ボルト止めすること等もできる。
【００６３】
(8) 前記側部脚枠体６，６は、前後の脚柱１１，１２の上端相互や下端相互、中間部位相互を、１本の前後連結杆で連結して構成されることもある。そして、上端相互や下端相互を１本の前後連結杆で連結する場合は、例えば、パイプ材をコ字状に折曲して構成することもできる。又、前後の脚柱１１，１２を前後連結杆で溶接等によって連結する場合、前後の脚柱１１，１２の向き合う面部相互を連結するものには限られない。
【００６４】
(9) 前記天板５を天板支持台２の上に取り付ける構成は、要は、天板５を天板支持台２に安定的に取り付け得るものであれば、前記したビス固定の他、ボルトを用いて固定する等、各種の公知手段を採用できる。
【００６５】
(10)本発明は、各種作業目的の作業台に応用できるものであり、工場で使用する作業台の他、事務所や厨房等で使用する作業台にも応用できる。又、棚や、キャスターが付設されて移動可能となされたワゴンの他、比較的小サイズの作業台としても応用され得る。
【００６６】
(11)これらの作業台を構成する前記天板は、目的の作業を支障なく行うことができるように、更には、目的の作業をより効果的に行い得るように構成されるものである。前記したような、上面が一連の平滑面に形成された天板としての他、メッシュ状や格子状を呈する天板として構成できる他、円形状や長方形状、正方形状等の開口が板体に設けられた天板としても構成できる。更には、凹部や凸部が単独で設けられ、或いは、これらが適宜組み合わせて設けられた天板等としても構成され得る。又、天板の材質は特定されず、前記した合板を以て構成されることの他、金属板等を以て構成されることもある。又、その平面視の形態も、前記した矩形板状を呈するものには特定されず、正方形板状を呈するものや、両端部分が丸味を帯びた楕円形板状を呈するもの等であってもよい。要は、夫々の作業台の作業目的に合わせて所要に構成できるものである。
【符号の説明】
【００６７】
１  作業台
２  天板支持台
５  天板
６  側部脚枠体
７  前の左右連結杆
９  後の左右連結杆
１０  引寄せ連結杆
１１  前の脚柱
１２  後の脚柱
１３  面部
１５  上部
１６  上の前後連結杆
１７  上の前後連結杆の端部
１８  下部
１９  面部
２０  下の前後連結杆
３６  上端被覆片
３７  前面
４０  前当接片
４１  外面
４３  外当接片
４５  内面
４７  内当接片
６７  脚柱嵌入凹部
６９  ボルト孔
７１  ネジ孔
７２  連結ボルト
８０  後面
８２  後当接片
８５  連結杆本体
８６  連結杆本体の端面
８７  中間部位
８９  収容凹部
９０  コ字状枠部
９２  基片
９６  内の側片
９７  外の側片
１０１  ボルト孔
１０２  抜け止めボルト
１０５  ナット
１０９  天板の裏面
１１０  ビス孔
１１１  ビス
【図１】
2011172829.tif 000003
【図２】
2011172829.tif 000004
【図３】
2011172829.tif 000005
【図４】
2011172829.tif 000006
【図５】
2011172829.tif 000007
【図６】
2011172829.tif 000008
【図７】
2011172829.tif 000009
【図１１】
2011172829.tif 000010
【図１２】
2011172829.tif 000011
【図１３】
2011172829.tif 000012
【図１４】
2011172829.tif 000013
【図１５】
2011172829.tif 000014
【図１６】
2011172829.tif 000015
【図１７】
2011172829.tif 000016
【図１８】
2011172829.tif 000017
【図１９】
2011172829.tif 000018
【図２０】
2011172829.tif 000019
【図２１】
2011172829.tif 000020
【図２２】
2011172829.tif 000021
【図２３】
2011172829.tif 000022
【図２４】
2011172829.tif 000023
【図２５】
2011172829.tif 000024
【図２６】
2011172829.tif 000025
【図２７】
2011172829.tif 000026
【図２８】
2011172829.tif 000027
【図８】
2011172829.tif 000028
【図９】
2011172829.tif 000029
【図１０】
2011172829.tif 000030